(57)【特許請求の範囲】
【請求項１】
ワイヤレスデバイス（１０１）についてのパケットデータネットワーク（ＰＤＮ）接続を管理するための、サービングゲートウェイ（ＳＧＷ）（１１７）における方法であって、
少なくとも１つのＧＰＲＳ（General  packet  radio  service）トンネリングプロトコル（ＧＴＰ）エンティティ（１１０，１１１，１１５，１１９）から、前記ワイヤレスデバイス向けの識別されるＰＤＮ接続上の通信が遅延可能であるかを指し示す遅延寛容性接続インジケータ（ＤＴＣＩ）を受信すること（１０）と、
前記ＳＧＷ内に前記ＤＴＣＩを記憶すること（１８）と、
前記ワイヤレスデバイスへサービスするモビリティ管理ノードの障害の検出後に、前記ＰＤＮ接続を管理すること（２０）と、
を含み、
前記管理すること（２０）は、
前記ＰＤＮ接続が遅延寛容であることを前記ＤＴＣＩが指し示す場合に、前記ＰＤＮ接続を削除すること（２２）、又は、
前記ＰＤＮ接続が遅延寛容でないことを前記ＤＴＣＩが指し示す場合に、前記ＰＤＮ接続を維持すること（２４）、
を含む、方法。
【請求項２】
前記少なくとも１つのＧＴＰエンティティは、ＰＤＮゲートウェイ（ＰＧＷ）（１１９）であり、前記受信すること（１０）は、前記ＰＧＷからＰＤＮ接続生成手続の期間中に前記ＤＴＣＩを受信すること（１２）、をさらに含む、請求項１の方法。
【請求項３】
前記受信すること（１０）は、ＳＧＷ再配置を伴うモビリティ手続の期間中に行われ、前記ＳＧＷは、新たなＳＧＷであり、前記少なくとも１つのＧＴＰエンティティは、前記モビリティ手続の完了後に前記ワイヤレスデバイス（１０１）へサービスすることになる新たなモビリティ管理ノード（１１０，１１１，１１５）であり、前記受信すること（１０）は、前記新たなモビリティ管理ノードからモビリティ手続の期間中に前記ＤＴＣＩを受信すること（１４）、をさらに含む、請求項１〜２のいずれかの方法。
【請求項４】
前記受信すること（１０）は、ＳＧＷ再配置を伴うモビリティ手続の期間中に行われ、前記ＳＧＷは、新たなＳＧＷであり、前記少なくとも１つのＧＴＰエンティティは、ＰＧＷ（１１９）であり、前記受信すること（１０）は、前記ＰＧＷからモビリティ手続の期間中に前記ＤＴＣＩを受信すること（１６）、をさらに含む、請求項１〜２のいずれかの方法。
【請求項５】
前記少なくとも１つのＧＴＰエンティティから動的に更新されたＤＴＣＩを受信すること（２６）、をさらに含む、請求項１〜４のいずれかの方法。
【請求項６】
前記モビリティ管理ノードは、モビリティ管理エンティティ（１１５）、サービングＧＰＲＳ（General  packet  radio  service）サポートノード（ＳＧＳＮ）（１１１）、又はＳ４−ＳＧＳＮ（１１０）である、請求項１〜５のいずれかの方法。
【請求項７】
ワイヤレスデバイス（１０１）についてのパケットデータネットワーク（ＰＤＮ）接続を管理するための、サービングゲートウェイ（ＳＧＷ）（１１７）であって、前記ＳＧＷは、プロセッサ（４０３）及びメモリ（４０５）を備え、前記メモリは、前記プロセッサにより実行可能な命令を含み、それにより前記ＳＧＷは、
少なくとも１つのＧＰＲＳ（General  packet  radio  service）トンネリングプロトコル（ＧＴＰ）エンティティ（１１０，１１１，１１５，１１９）から、前記ワイヤレスデバイス向けの識別されるＰＤＮ接続上の通信が遅延可能であるかを指し示す遅延寛容性接続インジケータ（ＤＴＣＩ）を受信（１０）し、
前記ＳＧＷ内に前記ＤＴＣＩを記憶（１８）し、
前記ワイヤレスデバイスへサービスするモビリティ管理ノードの障害の検出後に、前記ＰＤＮ接続を管理（２０）する、
ように動作可能であり、
前記管理は、
前記ＰＤＮ接続が遅延寛容であることを前記ＤＴＣＩが指し示す場合に、前記ＰＤＮ接続を削除（２２）すること、又は、
前記ＰＤＮ接続が遅延寛容でないことを前記ＤＴＣＩが指し示す場合に、前記ＰＤＮ接続を維持（２４）すること、
を含む、ＳＧＷ（１１７）。
【請求項８】
前記少なくとも１つのＧＴＰエンティティは、ＰＤＮゲートウェイ（ＰＧＷ）（１１９）であり、前記ＳＧＷは、前記ＰＧＷからＰＤＮ接続生成手続の期間中に前記ＤＴＣＩを受信（１２）する、ようにさらに動作可能である、請求項７のＳＧＷ（１１７）。
【請求項９】
前記ＳＧＷは、ＳＧＷ再配置を伴うモビリティ手続の期間中に前記ＤＴＣＩを受信する、ように動作可能であり、前記ＳＧＷは、新たなＳＧＷであり、前記少なくとも１つのＧＴＰエンティティは、前記モビリティ手続の完了後に前記ワイヤレスデバイスへサービスすることになる新たなモビリティ管理ノード（１１０，１１１，１１５）であり、前記ＳＧＷは、前記新たなモビリティ管理ノードからモビリティ手続の期間中に前記ＤＴＣＩを受信（１４）する、ようにさらに動作可能である、請求項７〜８のいずれかのＳＧＷ（１１７）。
【請求項１０】
前記ＳＧＷは、ＳＧＷ再配置を伴うモビリティ手続の期間中に前記ＤＴＣＩを受信する、ように動作可能であり、前記ＳＧＷは、新たなＳＧＷであり、前記少なくとも１つのＧＴＰエンティティは、ＰＧＷ（１１９）であり、前記ＳＧＷは、前記ＰＧＷからモビリティ手続の期間中に前記ＤＴＣＩを受信（１６）する、ようにさらに動作可能である、請求項７〜８のいずれかのＳＧＷ（１１７）。
【請求項１１】
前記ＳＧＷは、前記少なくとも１つのＧＴＰエンティティ（１１０，１１１，１１５，１１９）から動的に更新されたＤＴＣＩを受信（２６）する、ようにさらに動作可能である、請求項７〜１０のいずれかのＳＧＷ（１１７）。
【請求項１２】
前記モビリティ管理ノードは、モビリティ管理エンティティ（１１５）、サービングＧＰＲＳ（General  packet  radio  service）サポートノード（ＳＧＳＮ）（１１１）、又はＳ４−ＳＧＳＮ（１１０）である、請求項７〜１１のいずれかのＳＧＷ（１１７）。
【請求項１３】
ワイヤレスデバイス（１０１）についてのパケットデータネットワーク（ＰＤＮ）接続を動的に管理するための、コアネットワークノード（１１０，１１１，１１５，１１７，１１９）における方法であって、前記コアネットワークノードは、前記ワイヤレスデバイスについての識別されるＰＤＮ接続上の通信が遅延可能であるかを指し示す、記憶済みの遅延寛容性接続インジケータ（ＤＴＣＩ）を含み、前記コアネットワークノードは、ネットワークトリガ型サービス復旧手続のために構成され、前記方法は、
ＰＣＲＦ（Policy  Control  and  Charging  Rules  Function）（１２０）又は他のコアネットワークノード（１１７，１１９）から、前記ワイヤレスデバイスについての識別される前記ＰＤＮ接続が遅延寛容であるかに関する変化したステータスを指し示す更新されたＤＴＣＩを受信すること（３０）と、
更新された前記ＤＴＣＩを前記コアネットワークノード内に記憶すること（３２）と、
を含む方法。
【請求項１４】
更新された前記ＤＴＣＩは、前記ＰＣＲＦ（１２０）から受信され、前記コアネットワークノードは、ＰＤＮゲートウェイ（ＰＧＷ）（１１９）であり、前記方法は、更新された前記ＤＴＣＩをサービングゲートウェイ（ＳＧＷ）（１１７）へ転送すること（３４）、をさらに含む、請求項１３の方法。
【請求項１５】
更新された前記ＤＴＣＩは、ＰＤＮゲートウェイ（ＰＧＷ）（１１９）から受信され、前記コアネットワークノードは、サービングゲートウェイ（ＳＧＷ）（１１７）であり、前記方法は、更新された前記ＤＴＣＩをモビリティ管理ノード（１１０，１１１，１１５）へ転送すること（３６）、をさらに含む、請求項１３の方法。
【請求項１６】
前記方法は、前記ＰＤＮ接続を管理すること（３８）、をさらに含み、
前記管理すること（３８）は、
前記ＰＤＮ接続が遅延寛容であることを前記ＤＴＣＩが指し示す場合に、前記ＰＤＮ接続を削除すること（４０）、又は、
前記ＰＤＮ接続が遅延寛容でないことを前記ＤＴＣＩが指し示す場合に、前記ＰＤＮ接続を維持すること（４２）、
を含む、請求項１５の方法。
【請求項１７】
更新された前記ＤＴＣＩは、サービングゲートウェイ（ＳＧＷ）（１１７）から受信され、前記コアネットワークノードは、モビリティ管理ノード（１１０，１１１，１１５）である、請求項１３の方法。
【請求項１８】
前記モビリティ管理ノードは、モビリティ管理エンティティ（１１５）、サービングＧＰＲＳ（General  packet  radio  service）サポートノード（ＳＧＳＮ）（１１１）、又はＳ４−ＳＧＳＮ（１１０）である、請求項１５〜１７のいずれかの方法。
【請求項１９】
ワイヤレスデバイス（１０１）についてのパケットデータネットワーク（ＰＤＮ）接続を動的に管理するためのコアネットワークノード（１１０，１１１，１１５，１１７，１１９）であって、前記コアネットワークノードは、前記ワイヤレスデバイスについての識別されるＰＤＮ接続上の通信が遅延可能であるかを指し示す、記憶済みの遅延寛容性接続インジケータ（ＤＴＣＩ）を含み、前記コアネットワークノードは、プロセッサ（４０３）及びメモリ（４０５）を備え、前記メモリは、前記プロセッサにより実行可能な命令を含み、それにより前記コアネットワークノードは、
ＰＣＲＦ（Policy  Control  and  Charging  Rules  Function）（１２０）又は他のコアネットワークノード（１１７，１１９）から、前記ワイヤレスデバイスについての識別される前記ＰＤＮ接続が遅延寛容であるかに関する変化したステータスを指し示す更新されたＤＴＣＩを受信（３０）し、
更新された前記ＤＴＣＩを前記コアネットワークノード内に記憶（３２）する、
ように動作可能である、コアネットワークノード（１１０，１１１，１１５，１１７，
１１９）。
【請求項２０】
更新された前記ＤＴＣＩは、前記ＰＣＲＦ（１２０）から受信され、前記コアネットワークノードは、ＰＤＮゲートウェイ（ＰＧＷ）（１１９）であり、前記コアネットワークノードは、更新された前記ＤＴＣＩをサービングゲートウェイ（ＳＧＷ）（１１７）へ転送（３４）する、ようにさらに動作可能である、請求項１９のコアネットワークノード（１１０，１１１，１１５，１１７，１１９）。
【請求項２１】
更新された前記ＤＴＣＩは、ＰＤＮゲートウェイ（ＰＧＷ）（１１９）から受信され、前記コアネットワークノードは、サービングゲートウェイ（ＳＧＷ）（１１７）であり、前記コアネットワークノードは、更新された前記ＤＴＣＩをモビリティ管理ノード（１１０，１１１，１１５）へ転送（３６）する、ようにさらに動作可能である、請求項１９のコアネットワークノード（１１０，１１１，１１５，１１７，１１９）。
【請求項２２】
前記ＰＤＮ接続の前記管理は、前記コアネットワークノードが
前記ＰＤＮ接続が遅延寛容であることを前記ＤＴＣＩが指し示す場合に、前記ＰＤＮ接続を削除（４０）し、又は、
前記ＰＤＮ接続が遅延寛容でないことを前記ＤＴＣＩが指し示す場合に、前記ＰＤＮ接続を維持（４２）する、
ように動作可能であること、をさらに含む、請求項２１のコアネットワークノード（１１０，１１１，１１５，１１７，１１９）。
【請求項２３】
更新された前記ＤＴＣＩは、サービングゲートウェイ（ＳＧＷ）（１１７）から受信され、前記コアネットワークノードは、モビリティ管理ノード（１１０，１１１，１１５）である、請求項１９のコアネットワークノード（１１０，１１１，１１５，１１７，１１９）。
【請求項２４】
前記モビリティ管理ノードは、モビリティ管理エンティティ（１１５）、サービングＧＰＲＳ（General  packet  radio  service）サポートノード（ＳＧＳＮ）（１１１）、又はＳ４−ＳＧＳＮ（１１０）である、請求項２１〜２３のいずれかのコアネットワークノード（１１０，１１１，１１５，１１７，１１９）。
【発明の詳細な説明】
【技術分野】
【０００１】
ここで提示される例示的な実施形態は、ワイヤレスデバイスのパケットデータネットワーク接続を管理するためのサービングゲートウェイ、コアネットワークノード及びＰＣＲＦ（Policy  Control  and  Charging  Rules  Function）、並びにそれらにおける対応する方法を対象とする。
【背景技術】
【０００２】
ワイヤレス通信ネットワークともいう典型的なセルラーシステムにおいて、移動局及び／又はユーザ機器ユニットとしても知られるワイヤレス端末は、１つ以上のコアネットワークへ無線アクセスネットワーク（ＲＡＮ）を介して通信する。ワイヤレス端末は、マシンツーマシン（Ｍ２Ｍ）デバイス、ＩｏＴ（Internet-of-Things）デバイス、移動局、又は、“セルラー”フォンとしても知られるモバイルフォンやワイヤレスケイパビリティを伴うラップトップといったユーザ機器であることができ、例えば、無線アクセスネットワークとの間で音声及び／又はデータを通信する、ポータブルな、ポケット型の、手持ち型の、コンピュータ内蔵型の、又は車載型のモバイルデバイスであることができる。
【０００３】
無線アクセスネットワークは、複数のセルエリアへ分割される地理的エリアをカバーし、各セルエリアは例えば無線基地局（ＲＢＳ）といった基地局によりサービスされる。無線基地局は、いくつかのネットワークでは、“ノードＢ”、“Ｂノード”又は“拡張ノードＢ”、“ｅＮｏｄｅＢ”又は“ｅＮＢ”とも呼ばれ、これらを本文書では基地局ともいう。セルは、基地局サイトにある無線基地局機器により無線カバレッジが提供される地理的エリアである。各セルは、局所的な無線エリアの範囲内のアイデンティティにより識別され、それはセル内でブロードキャストされる。基地局は、当該基地局のレンジの範囲内のユーザ機器ユニットとの間で、無線周波数上で動作するエアインタフェースを介して通信する。
【０００４】
無線アクセスネットワークのいくつかのバージョンにおいて、複数の基地局は、典型的には例えば地上回線又はマイクロ波によって無線ネットワークコントローラ（ＲＮＣ）へ接続される。基地局コントローラ（ＢＳＣ）とも称されることのある無線ネットワークコントローラは、自身へ接続される複数の基地局の多様なアクティビティを監督し及び協調させる。無線ネットワークコントローラは、典型的には、１つ以上のコアネットワークへ接続される。
【０００５】
ＵＭＴＳ（Universal  Mobile  Telecommunications  System）は、第３世代モバイル通信システムであり、ＧＳＭ（Global  System  for  Mobile  Communications）から進化した。ＵＭＴＳは、ＷＣＤＭＡ（Wideband  Code  Division  Multiple  Access）アクセス技術に基づいて改善されたモバイル通信サービスを提供することを意図されている。ＵＴＲＡＮ（UMTS  Terrestrial  Radio  Access  Network）は、本質的に、ユーザ機器ユニット（ＵＥ）についてＷＣＤＭＡを用いる無線アクセスネットワークである。３ＧＰＰ（3rd  Generation  Partnership  Project）は、ＵＴＲＡＮ及びＧＳＭベースの無線アクセスネットワーク技術をさらに進化させることに取り組んできた。ＥＰＣ（Evolved  Packet  Core）と共にＬＴＥ（Long  Term  Evolution）は、３ＧＰＰファミリーへの最新の追加である。
【発明の概要】
【０００６】
ワイヤレス通信ネットワークの動作の期間中に、コアネットワークノードに障害又はリスタートされる必要性が生じる瞬間が存在し得る。コアネットワークノードのそうした障害又はリスタートの期間中に通信の乱れを最小限に保つための様々な手続が整えられている。そうした手続の一例は、３ＧＰＰ  ＴＳ２３．００７の第２５章において仕様化されているような、ネットワークトリガ型サービス復旧（Network  Triggered  Service  Restoration）手続である。当該手続において、サービングゲートウェイ（ＳＧＷ）というノードは、例えばモビリティ管理エンティティ（ＭＭＥ）又はサービングＧＰＲＳ（General  packet  radio  service）サポートノード（ＳＧＳＮ）であるモビリティ管理ノードの障害の発生を検出する。ＳＧＷは、ＰＤＮ接続を維持することを要求されるであろう。その後、ＳＧＷは、ワイヤレスデバイス向けのダウンリンクデータを受信した場合、ＰＤＮ接続に関連付けられるそのワイヤレスデバイスのＩＭＳＩを伴うダウンリンクデータ通知を発行することになる。
【０００７】
しかしながら、特にマシンタイプのワイヤレスデバイスのために近日開発された新たな仕組みでは、ワイヤレスデバイスは拡張ＤＲＸを使用し又は電力節約モード（Power  Saving  Mode）へ入ってもよく、それはページング要求をリッスンすることができず、そうしたケースでは、ダウンリンクデータの受信でトリガされるページングは全く意味をなさず、単にネットワーク上に余計なシグナリングを生み出す。そうしたワイヤレスデバイスは、遅延寛容なサービスをしばしば使用し、即ち、ワイヤレスデバイスがネットワークにより到達可能となるまでサービスを遅延させることができる。しかしながら、それは、遅延寛容でないサービスを使用する可能性を排除してはいない。
【０００８】
そのうえ、ワイヤレスデバイスがどの種類のサービスを使用することを承認されたかに依存する、ＰＤＮ接続が遅延寛容であるかの属性を変更する可能性に関する動的な又は更新される情報を提供する手段は現在のところ存在しない。
【０００９】
加えて、モビリティ管理ノードの障害又はリスタートの存在下で、ＰＤＮ接続のそうした遅延寛容な属性をどのようにＰＤＮ接続の管理に影響させることができるかのいかなる仕様も現在のところ存在しない。
【００１０】
よって、ここで提示される例示的な実施形態の少なくとも１つの目的は、ワイヤレスデバイスが拡張ＤＲＸ又は電力節約モード中であり得る通信ネットワークにおいてネットワークトリガ型サービス復旧手続が配備される場合の仕組みをいかに効果的に提供するかである。具体的には、ここで提示される例示的な実施形態の目的は、モビリティ管理ノードの障害又はリスタートの存在下で、ネットワークトリガ型サービス復旧手続と共に配備されるネットワークとのワイヤレスデバイスについてのＰＤＮ接続をいかに管理するかである。
【００１１】
ここで提示される実施形態の少なくとも１つの例示的な利点は、不必要なシグナリングが低減されることである。ワイヤレスデバイスに関連付けられるＰＤＮ接続の、遅延した通信を受信する能力に基づいて、ＰＤＮ接続は、モビリティ管理ノードの障害又はリスタートの存在下で維持されるか又は維持されないかであり得る。そのうえ、他の例示的な利点は、例えばサービス又はアプリケーションの用途に起因する、遅延寛容性における変化が、ＰＤＮ接続の管理に関して考慮に入れられ得ることである。
【００１２】
従って、例示的な実施形態のいくつかは、ワイヤレスデバイスについてのＰＤＮ接続を管理するための、ＳＧＷにおける方法を対象とする。上記ＳＧＷは、ネットワークトリガ型サービス復旧手続をサポートするように構成される。上記方法は、少なくとも１つのＧＴＰエンティティから、上記ワイヤレスデバイス向けの識別されるＰＤＮ接続上の通信が遅延可能であるかを指し示す遅延寛容性接続インジケータ（ＤＴＣＩ）を受信すること、を含む。上記方法は、上記ＳＧＷ内に上記ＤＴＣＩを記憶すること、をさらに含む。上記方法は、上記ワイヤレスデバイスへサービスするモビリティ管理ノードの（リスタートを伴うか又は伴わない）障害の検出後に、上記ＰＤＮ接続を管理すること、をも含む。上記管理することは、上記ＰＤＮ接続が遅延寛容であることを上記ＤＴＣＩが指し示す場合に、上記ＰＤＮ接続を削除すること、を含む。あるいは、上記管理することは、上記ＰＤＮ接続が遅延寛容でないことを上記ＤＴＣＩが指し示す場合に、上記ＰＤＮ接続を維持すること、をさらに含む。
【００１３】
例示的な実施形態のいくつかは、ワイヤレスデバイスについてのＰＤＮ接続を管理するためのＳＧＷを対象とする。上記ＳＧＷは、ネットワークトリガ型サービス復旧手続をサポートするように構成される。上記ＳＧＷは、プロセッサ及びメモリを備える。上記メモリは、上記プロセッサにより実行可能な命令を含み、それにより上記ＳＧＷは、少なくとも１つのＧＴＰエンティティから、上記ワイヤレスデバイス向けの識別されるＰＤＮ接続上の通信が遅延可能であるかを指し示すＤＴＣＩを受信する、ように動作可能である。上記ＳＧＷは、上記ＳＧＷ内に上記ＤＴＣＩを記憶する、ようにさらに動作可能である。上記ＳＧＷは、上記ワイヤレスデバイスへサービスするモビリティ管理ノードの（リスタートを伴うか又は伴わない）障害の検出後に、上記ＰＤＮ接続を管理する、ようにも動作可能である。上記ＰＤＮ接続の上記管理の範囲内で、上記ＳＧＷは、上記ＰＤＮ接続が遅延寛容であることを上記ＤＴＣＩが指し示す場合に、上記ＰＤＮ接続を削除する、ように動作可能である。代替的に、上記ＳＧＷは、上記ＰＤＮ接続が遅延寛容でないことを上記ＤＴＣＩが指し示す場合に、上記ＰＤＮ接続を維持する、ように動作可能である。
【００１４】
例示的な実施形態のいくつかは、ワイヤレスデバイスについてのＰＤＮ接続を動的に管理するための、コアネットワークノードにおける方法を対象とする。上記コアネットワークノードは、上記ワイヤレスデバイスについての識別されるＰＤＮ接続上の通信が遅延可能であるかを指し示す、記憶済みのＤＴＣＩを含む。上記方法は、ＰＣＲＦ又は他のコアネットワークノードから、上記ワイヤレスデバイスについての識別される上記ＰＤＮ接続が遅延寛容であるかに関する変化したステータスを指し示す更新されたＤＴＣＩを受信すること、を含む。上記方法は、更新された上記ＤＴＣＩを上記コアネットワークノード内に記憶すること、をも含む。
【００１５】
例示的な実施形態のいくつかは、ワイヤレスデバイスについてのＰＤＮ接続を動的に管理するためのコアネットワークノードを対象とする。上記コアネットワークノードは、上記ワイヤレスデバイスについての識別されるＰＤＮ接続上の通信が遅延可能であるかを指し示す、記憶済みのＤＴＣＩを含む。上記コアネットワークノードは、プロセッサ及びメモリを備える。上記メモリは、上記プロセッサにより実行可能な命令を含み、それにより上記コアネットワークノードは、ＰＣＲＦ又は他のコアネットワークノードから、上記ワイヤレスデバイスについての識別される上記ＰＤＮ接続が遅延寛容であるかに関する変化したステータスを指し示す更新されたＤＴＣＩを受信する、ように動作可能である。上記コアネットワークノードは、更新された上記ＤＴＣＩを上記コアネットワークノード内に記憶する、ようにさらに動作可能である。
【００１６】
例示的な実施形態のいくつかは、ワイヤレスデバイスについてのＰＤＮ接続を動的に管理するための、ＰＣＲＦにおける方法を対象とする。上記方法は、上記ＰＤＮ接続の遅延寛容性におけるステータス変化を検出すること、を含む。上記ステータス変化は、上記ワイヤレスデバイスについての識別される上記ＰＤＮ接続が遅延した通信を受信可能であるかに関する変化を提示する。上記方法は、検出される上記ステータス変化に基づいて、ＤＴＣＩを更新すること、をさらに含む。上記方法は、更新された上記ＤＴＣＩをＰＧＷへ送信すること、をさらに含む。
【００１７】
例示的な実施形態のいくつかは、ワイヤレスデバイスについてのＰＤＮ接続を動的に管理するためのＰＣＲＦを対象とする。上記ＰＣＲＦは、プロセッサ及びメモリを備える。上記メモリは、上記プロセッサにより実行可能な命令を含み、それにより上記ＰＣＲＦは、上記ＰＤＮ接続の遅延寛容性におけるステータス変化を検出する、ように動作可能である。上記ステータス変化は、上記ワイヤレスデバイスについての識別される上記ＰＤＮ接続が遅延した通信を受信可能であるかに関する変化を提示する。上記ＰＣＲＦは、検出される上記ステータス変化に基づいて、ＤＴＣＩを更新する、ようにさらに動作可能である。上記ＰＣＲＦは、更新された上記ＤＴＣＩをＰＤＮゲートウェイ（ＰＧＷ）へ送信する、ようにも動作可能である。
【００１８】
［略語］
３ＧＰＰ          Third  Generation  Partnership  Project
ＡＳ              Application  Server
ＢＳＣ            Base  Station  Controller
ＤＲＸ            Discontinuous  Reception
ＤＴＣＩ          Delay  Tolerance  Connection  Indicator
Ｅ−ＵＴＲＡＮ    Evolved  Universal  Terrestrial  Radio  Access  Network
ｅＮｏｄｅＢ      Evolved  NodeB
ＥＰＣ            Evolved  Packet  Core
ＧＥＲＡＮ        GSM/EDGE  Radio  Access  Network
ＧＧＳＮ          Gateway  GPRS  Support  Node
ＧＰＲＳ          General  Packet  Radio  Service
ＧＴＰ            GPRS  Tunnelling  Protocol
ＧＳＭ            Global  System  for  Mobile  Communications
ＨＳＳ            Home  Subscriber  Server
ＩＭＳＩ          International  Mobile  Subscriber  Identity
ＩｏＴ            Internet  of  Things
ＬＴＥ            Long  Term  Evolution
Ｍ２Ｍ            Machine-to-Machine
ＭＭＥ            Mobility  Management  Entity
ＰＣＲＦ          Policy  Control  and  Charging  Rules  Function
ＰＤＮ            Packet  Data  Network
ＰＧＷ            PDN  Gateway
ＲＡＮ            Radio  Access  Network
ＲＡＵ            Routing  Area  Update
ＲＢＳ            Radio  Base  Station
ＲＮＣ            Radio  Network  Controller
ＲＲＣ            Radio  Resource  Control
ＳＧＳＮ          Serving  GPRS  Support  Node
ＳＧＷ            Serving  Gateway
ＴＡＵ            Tracking  Area  Update
ＵＥ              User  Equipment
ＵＭＴＳ          Universal  Mobile  Telecommunications  System
ＵＴＲＡＮ        UMTS  Terrestrial  Radio  Access  Network
ＷＣＤＭＡ        Wideband  Code  Division  Multiple  Access
【図面の簡単な説明】
【００１９】
添付図面に示したような例示的な実施形態の以下のより具体的な説明から、前述の内容が明らかになるであろう。添付図面において、類似の参照符号は異なる複数の図を通じて同一の部分を指し示す。図面は必ずしも等尺ではなく、代わりに例示的な実施形態の描出に強調が施されている。
【００２０】
【図１】ワイヤレスネットワークの説明例である。
【図２】ここで提示される例示的な実施形態のいくつかに係る、ＳＧＷ再配置を扱うモビリティ手続の期間中のＰＤＮ接続の管理を描いたメッセージ経過図である。
【図３】ここで提示される例示的な実施形態のいくつかに係る、ＤＴＣＩの動的な更新を扱うＰＤＮ接続の管理を描いたメッセージ経過図である。
【図４】例示的な実施形態のいくつかに係る、ＳＧＷ、コアネットワークノード及びＰＣＲＦの例示的なノード構成である。
【図５Ａ】例示的な実施形態のいくつかに係る、ＳＧＷにより採られ得る例示的な動作を描いたフロー図である。
【図５Ｂ】例示的な実施形態のいくつかに係る、図５Ａの動作を実行するように構成されるモジュール群を描いたモジュール図である。
【図６Ａ】例示的な実施形態のいくつかに係る、コアネットワークノードにより採られ得る例示的な動作を描いたフロー図である。
【図６Ｂ】例示的な実施形態のいくつかに係る、図６Ａの動作を実行するように構成されるモジュール群を描いたモジュール図である。
【図７Ａ】例示的な実施形態のいくつかに係る、ＰＣＲＦにより採られ得る例示的な動作を描いたフロー図である。
【図７Ｂ】例示的な実施形態のいくつかに係る、図７Ａの動作を実行するように構成されるモジュール群を描いたモジュール図である。
【発明を実施するための形態】
【００２１】
以下の説明において、例示的な実施形態の綿密な理解を提供するために、限定ではなく説明の目的で、具体的なコンポーネント、エレメント、技法などの特定の詳細が説示される。しかしながら、当業者にとって明らかであろうこととして、例示的な実施形態は、それら特定の詳細から離れた他のやり方で実践されてもよい。他の例において、よく知られた方法及びエレメントの詳細な説明は、例示的な実施形態の説明を曖昧にしないために省略される。ここで使用される専門用語は、例示的な実施形態を説明する目的のためのものであって、ここで提示される実施形態を限定することを意図されない。理解されるべきこととして、ここで提示される例示的な実施形態の全ては、ＧＥＲＡＮ、ＵＴＲＡＮ又はＥ−ＵＴＲＡＮシステムへ適用可能であり得る。さらに理解されるべきこととして、ワイヤレスデバイス、ワイヤレス端末、Ｍ２Ｍデバイス、ＭＴＣデバイス、ＩｏＴデバイス及びユーザ機器との用語が互換可能に使用され得る。
【００２２】
［一般的概略］
ここで提示される例示的な実施形態は、ネットワークトリガ型サービス復旧手続をサポートする通信ネットワーク内のＰＤＮ接続の管理を対象とする。ここで提示される例示的な実施形態のより良好な説明を提供するために、まず問題が識別され及び議論されるであろう。
【００２３】
通信ネットワークの概略
図１は、通信ネットワーク１００の一般的な例を提供する。図１に示したように、ユーザ機器（ＵＥ）１０１は、事業者サーバ又はアプリケーションサーバ１０５への通信にアクセスするために、ＵＴＲＡＮ（Universal  Terrestrial  Radio  Access  Network）１０３、Ｅ−ＵＴＲＡＮ（Evolved  UTRAN）１０４、又はＧＥＲＡＮ（GSM  Edge  Radio  Access  Network）１０２サブシステムとの通信関係にあり得る。ＳＣＳ、ＡＳ又はホスト１０５へのアクセスの獲得において、ＵＴＲＡＮ／Ｅ−ＵＴＲＡＮ／ＧＥＲＡＮサブシステム１０２〜１０４は、ＧＰＲＳ（General  Packet  Radio  Service）サブシステム１０７又はＥＰＣ（Evolved  Packet  Core）サブシステム１０９との通信関係にあり得る。図１には示していないものの、ネットワークがさらにＷｉＦｉサブシステムを含んでもよいこともまた理解されるべきである。
【００２４】
ＧＰＲＳサブシステム１０７は、Ｇｎ／Ｇｐ−ＳＧＳＮとしても知られるサービングＧＰＲＳサポートノード（ＳＧＳＮ）１１１を含んでもよく、ＳＧＳＮ１１１は、関連付けられる地理的サービスエリアの範囲内の移動局との間のデータパケットのデリバリに責任を有し得る。ＳＧＳＮ１１１は、パケットルーティング、移管（transfer）、モビリティ管理及び接続性管理にも責任を有し得る。ＧＰＲＳサブシステム１０７は、ゲートウェイＧＰＲＳサポートノード１１３をも含んでよく、ゲートウェイＧＰＲＳサポートノード１１３は、ＧＰＲＳサブシステム１０７とＰＤＮ１０５との間のインターワーキングに責任を有し得る。
【００２５】
ＥＰＣサブシステム１０９は、モビリティ管理エンティティ１１５を含んでもよく、モビリティ管理エンティティ１１５は、モビリティ管理、接続性管理、アイドルモードＵＥトラッキング、ページング手続、アタッチメント及びアクティブ化手続、並びに、Ｅ−ＵＴＲＡＮ１０４向けの小規模データ及びメッセージ移管に責任を有し得る。ＥＰＣサブシステムは、サービングゲートウェイ（ＳＧＷ）１１７を含んでもよく、ＳＧＷ１１７は、データパケットのルーティング及び転送に責任を有し得る。ＥＰＣサブシステムは、パケットデータネットワークゲートウェイ（ＰＧＷ）１１９を含んでもよく、ＰＧＷ１１９は、ユーザ機器１０１から１つ以上のＰＤＮ１０５への接続性の提供に責任を有し得る。ＳＧＳＮ１１１、Ｓ４−ＳＧＳＮ１１０及びＭＭＥ１１５のどれもがホーム加入者サーバ（ＨＳＳ）１２１と通信関係にあってよく、ＨＳＳ１２１は、デバイス識別情報、ＩＭＳＩ（International  Mobile  Subscriber  Identity）、加入者情報などを提供し得る。理解されるべきこととして、ＥＰＣサブシステム１０９がＳ４−ＳＧＳＮ１１０をも含んでもよく、それにより、ＧＰＲＳ１０７がＥＰＣ１０９に置き換えられる際にＧＥＲＡＮ１０２又はＵＴＲＡＮ１０３のサブシステムにアクセスすることが可能とされる。
【００２６】
ネットワークは、さらにＰＣＲＦ（Policy  Control  and  Charging  Rules  Function）１２０を含む。ＰＣＲＦ１２０は、ポリシー制御決定及びフローベースの課金制御の機能性を包含する。
【００２７】
拡張アイドルモードＤＲＸ
３ＧＰＰは、新たな技術検討を部分的に完結させた−“Machine-Type  and  other  mobile  data  applications  Communications  enhancements”。より正確には、“UE  Power  Consumption  Optimizations  (UEPCOP)”という部分であり、その中で、アイドルモード中のワイヤレスデバイスのための拡張ＤＲＸ及びワイヤレスデバイスの電力節約モード（Power  Saving  Mode）が導入される。
【００２８】
ワイヤレスデバイス及びネットワークは、ＮＡＳ（non-access  stratum）シグナリング上で、ＤＲＸサイクル値に依存するある遅延の範囲内でモバイル終端のデータ及び／又はネットワーク発の手続について利用可能でありながら、その電力消費を低減するための拡張アイドルモードＤＲＸの使用について交渉し得る。
【００２９】
拡張アイドルモードＤＲＸを用いることを望むアプリケーションは、モバイル終端サービス又はデータ移管の固有の取扱いを考慮する必要があり、具体的には、モバイル終端データの遅延寛容性を考慮する必要がある。ネットワーク側のアプリケーションは、モバイル終端データ、ＳＭＳ又はデバイストリガを送信するかもしれず、拡張アイドルモードＤＲＸが設定中であり得ることを認識する必要がある。
【００３０】
拡張アイドルモードＤＲＸの使用を交渉するために、ワイヤレスデバイスは、アタッチ手続及びＲＡＵ／ＴＡＵ手続の期間中に拡張アイドルモードＤＲＸパラメータを要求する。ＳＧＳＮ／ＭＭＥは、拡張アイドルモードＤＲＸを有効化するためのワイヤレスデバイスの要求を拒絶してもよく又は受け入れてもよい。ＳＧＳＮ／ＭＭＥが拡張アイドルモードＤＲＸを受け入れるケースでは、ＳＧＳＮ／ＭＭＥは、事業者ポリシーに基づいて、ＵＥにより要求されたものとは異なる拡張アイドルモードＤＲＸパラメータの値を提供してもよい。ＳＧＳＮ／ＭＭＥが拡張アイドルモードＤＲＸの使用を受け入れる場合、ワイヤレスデバイスは、受信される拡張アイドルモードＤＲＸパラメータに基づいて拡張アイドルモードＤＲＸを適用する。ワイヤレスデバイスは、自身の要求をＳＧＳＮ／ＭＭＥが拒絶したため又は要求が拡張アイドルモードＤＲＸをサポートしないＳＧＳＮ／ＭＭＥにより受信されたために関係する受け入れメッセージにおいて拡張アイドルモードＤＲＸパラメータを受信しない場合、ＴＳ２３．０６０の第８．２．３章及びＴＳ２３．４０１の第５．１３章において定義されている通りの通常の不連続受信を適用するものとされる。
【００３１】
ワイヤレスデバイスがＮＡＳを介して（アクティブ時間及び恐らくは周期的なＴＡＵタイマを要求する）ＰＳＭ及び（固有の拡張Ｉ−ＤＲＸサイクル値を伴う）拡張アイドルモードＤＲＸの双方を有効化することを要求する場合、次のことを行うべきかの決定がＳＧＳＮ／ＭＭＥに委ねられる：
１．ＰＳＭのみを有効化、即ち、拡張アイドルモードＤＲＸについての要求を受け入れない。
２．拡張アイドルモードＤＲＸのみを有効化、即ち、アクティブ時間についての要求を受け入れない。
３．ＰＳＭ（即ち、アクティブ時間を提供）及び拡張アイドルモードＤＲＸ（即ち、拡張アイドルモードＤＲＸパラメータを提供）の双方を有効化。
【００３２】
上の３つの間の決定、並びにどのアクティブ時間、周期的ＴＡＵタイマ及び／又は拡張アイドルモードＤＲＸサイクル値をＵＥへ提供すべきかの決定は、ローカルの構成及び恐らくはＳＧＳＮ／ＭＭＥにおいて利用可能な他の情報に基づいて実装依存である。そして、選択される方法が次のアタッチ又はＲＡＵ／ＴＡＵ手続が開始されるときまで使用され、そのときに新たな決定がなされ得る。拡張Ｉ−ＤＲＸ及びＰＳＭの双方が有効化される場合、アクティブタイマが稼動している最中に複数のページング機会を有する目的で、拡張Ｉ−ＤＲＸサイクルが設定されるべきである。
【００３３】
ワイヤレスデバイスにより提供されるＰＳＭアクティブ時間がワイヤレスデバイスにより提供される拡張アイドルモードＤＲＸサイクル値よりも大きい固有のケースにおいて、ＳＧＳＮ／ＭＭＥは、ＰＳＭ及び拡張アイドルモードＤＲＸの双方を有効化し得る。これは、例えばアクティブ時間が典型的なアクティブ時間値よりも例えば数分のオーダでわずかに長い場合に、ワイヤレスデバイスがアクティブ時間の期間中に電力消費を最小化することを可能とする。
【００３４】
拡張アイドルモードＤＲＸが有効化されるケースでは、ネットワークは、ＴＳ２３．０６０及びＴＳ２３．４０１に記述されているように、第４．５．７節“GTP-C  retransmissions”の通りの高レイテンシ通信の特徴を用いてモバイル終端データを取扱い、ＴＳ２３．２７２の通りにモバイル終端ＳＭＳを、ＴＳ２３．２７１の通りにロケーションサービスを取り扱う技法を適用する。
【００３５】
ワイヤレスデバイス電力節約モード（power  saving  mode）
ワイヤレスデバイスは、自身の電力消費を低減するために、ＰＳＭを採用し得る。そのモードは、電力オフに類似するが、ネットワークに登録されたままとされ、再アタッチ又はＰＤＮ接続の再確立の必要性は無い。ＰＳＭ中のワイヤレスデバイスは、モバイル終端サービスにとって即座には到達可能ではない。ＰＳＭを用いるワイヤレスデバイスは、接続済みモードにある時間の期間中に、及び接続済みモードの後のアクティブ時間の期間にわたって、モバイル終端サービスにとって利用可能である。接続済みモードは、例えば周期的なＴＡＵ／ＲＡＵ手続の後に、データ移管又はシグナリングのようなモバイル発のイベントにより引き起こされる。従って、ＰＳＭは、低頻度のモバイル発及びモバイル終端のサービスのみを期待しているワイヤレスデバイスであってモバイル終端通信における対応するレイテンシを受け入れ可能な当該ワイヤレスデバイス向けに意図される。
【００３６】
［例示的な実施形態の概略］
ワイヤレス通信ネットワークの動作の期間中に、コアネットワークノードが障害を起こし又はリスタートを必要とする瞬間が存在するかもしれない。コアネットワークノードのそうした障害又はリスタートの期間中に通信の乱れを最小限に保つための様々な手続が整えられている。そうした手続の一例は、３ＧＰＰ  ＴＳ２３．００７の第２５章において仕様化されているような、ネットワークトリガ型サービス復旧手続である。当該手続において、サービングゲートウェイ（ＳＧＷ）というノードは、例えばモビリティ管理エンティティ（ＭＭＥ）又はサービングＧＰＲＳ（General  packet  radio  service）サポートノード（ＳＧＳＮ）であるモビリティ管理ノードの障害の発生を検出する。ＳＧＷは、ＰＤＮ接続を維持することを要求されるであろう。その後、ＳＧＷは、ワイヤレスデバイス向けのダウンリンクデータを受信した場合、ＰＤＮ接続に関連付けられるそのワイヤレスデバイスのＩＭＳＩを伴うダウンリンクデータ通知を発行することになる。
【００３７】
しかしながら、特にマシンタイプのワイヤレスデバイスのために近日開発された新たな仕組みでは、ワイヤレスデバイスは拡張ＤＲＸを使用し又は電力節約モード（Power  Saving  Mode）へ入ってもよく、それはページング要求をリッスンすることができず、そうしたケースでは、ダウンリンクデータの受信でトリガされるページングは全く意味をなさず、単にネットワーク上に余計なシグナリングを生み出す。
【００３８】
そのうえ、ワイヤレスデバイスがどの種類のサービスを使用することを承認されたかに依存する、ＰＤＮ接続が遅延寛容であるかの属性を変更する可能性に関する動的な又は更新される情報を提供する手段は現在のところ存在しない。
【００３９】
加えて、モビリティ管理ノードの障害又はリスタートの存在下で、ＰＤＮ接続のそうした遅延寛容な属性をどのようにＰＤＮ接続の管理に影響させることができるかのいかなる仕様も現在のところ存在しない。
【００４０】
よって、ここで提示される例示的な実施形態の少なくとも１つの目的は、ワイヤレスデバイスが拡張ＤＲＸ又は電力節約モード中であり得る通信ネットワークにおいてネットワークトリガ型サービス復旧手続が配備されるケースについての仕組みをいかに効果的に提供するかである。具体的には、ここで提示される例示的な実施形態の目的は、ネットワークトリガ型サービス復旧手続をサポートするように構成されるネットワーク内でワイヤレスデバイスについてのＰＤＮ接続をいかに管理するかである。例示的な実施形態の少なくとも１つの他の目的は、モビリティ管理ノードの障害又はリスタートの存在下で、ＰＤＮ接続をいかに効果的に管理するかである。
【００４１】
ここで提示される実施形態の少なくとも１つの例示的な利点は、不必要なシグナリングが低減されることである。ワイヤレスデバイスに関連付けられるＰＤＮ接続の、遅延した通信を受信する能力に基づいて、ＰＤＮ接続は、モビリティ管理ノードの障害又はリスタートの存在下で維持されるか又は維持されないかであり得る。そのうえ、他の例示的な利点は、モビリティ管理ノードの障害又はリスタートの視点において、例えばサービス又はアプリケーションの用途に起因する、遅延寛容性における変化が、ＰＤＮ接続の管理に関して考慮に入れられ得ることである。
【００４２】
“遅延寛容接続（Delay  Tolerant  Connection）”と呼ばれる新たな標識が導入され、この標識は、ＰＤＮ接続が遅延寛容であることをＰＧＷにより指し示すために使用される。例えば、ＰＧＷは、ネットワーク開始型の手続の期間中に、ワイヤレスデバイスが一時的に電力節約に起因して到達可能でないことを指し示す拒否原因をＭＭＥ／ＳＧＳＮからＳＧＷを介して受信し及びそのネットワーク開始型の手続を保留すること、をサポートし、その保留は、当該ＰＤＮ接続についてワイヤレスデバイスがエンドツーエンドのシグナリングのために利用可能であることを指し示すＵＡＳＩを伴う後続のベアラ修正要求（Modify  Bearer  Request）メッセージをＰＧＷが受信するまでである。しかしながら、この遅延寛容な接続の標識は、ＳＧＷにより使用されない。
【００４３】
ＳＧＷ変更を伴うモビリティ手続の期間中のＰＤＮ接続管理
例示的な実施形態のいくつかによれば、ＳＧＷは、ＭＭＥ／ＳＧＳＮ障害（ＭＭＥ／ＳＧＳＮのリスタート又はリスタート無しの障害）を検出した場合に遅延寛容接続としてラベリングされたＰＤＮ接続を保持しないものとするという形で、この標識を活用すべきである。これを達成するために、加えて、“ＰＤＮ接続が遅延寛容接続でラベリングされている”という上記情報が、ＳＧＷ変更を伴うモビリティ手続の期間中に、即ち、アイドルモード中のＵＥについてのインターＭＭＥ／ＳＧＳＮ  ＴＡＵ／ＲＡＵ、及びアクティブ／接続済みモード中のＵＥについてのインターＭＭＥ／ＳＧＳＮハンドオーバ手続の期間中に、新たなＳＧＷへ移管されるものとされる。
【００４４】
上記情報を、新たなＳＧＷがコンタクトされる際の（ターゲット）ＭＭＥ／ＳＧＳＮからのセッション生成要求（Create  Session  Request）メッセージ内に、又は、ＰＧＷからのベアラ修正応答（Modify  Bearer  Response）（当該メッセージは、新たなＳＧＷが自身の更新をベアラ修正要求（Modify  Bearer  Request）メッセージでＰＧＷへ送った場合のＰＧＷからの応答である）内に含めることができる。
【００４５】
図２は、ＳＧＷ変更を伴うモビリティ手続の期間中にいかにして遅延寛容接続標識（ＤＴＣＩ）が新たなＳＧＷ（ＳＧＷ２が新たなＳＧＷである）へ移管されるかを示している。
【００４６】
緑色の太字のテキストは、旧ＭＭＥ／ＳＧＳＮから新ＭＭＥ／ＳＧＳＮへＤＴＣＩを移管するためにコンテキスト移管手続（Context  Request/Response/Acknowledge）を用いる第１の手段を表しており、新ＭＭＥ／ＳＧＳＮは、新ＳＧＷへのセッション生成要求（Create  Session  Request）メッセージ内にＤＴＣＩを含める。
【００４７】
赤い太字のテキストは、ベアラ修正応答（Modify  Bearer  Response）を用いてＰＧＷがＤＴＣＩを新ＳＧＷへ提供する第２の手段を表している。このオプションでは、後続するセッション生成応答（Create  Session  Response）のシグナリングにおいて新ＳＧＷがＤＴＣＩを新ＭＭＥ／ＳＧＳＮへ転送すべきであるという形でＤＴＣＩが変更され得ることが暗黙的に可能とされる。
【００４８】
ＭＭＥは一例に過ぎず、それは、ソース（旧）モビリティ管理ノードとしてＳ４−ＳＧＳＮ、ＭＭＥ又はＧｎ／Ｇｐ  ＳＧＳＮであってよく、ターゲット（新）モビリティ管理ノードとしてＳ４−ＳＧＳＮ又はＭＭＥであってもよい。ＰＧＷは、ＰＧＷであり得る。ワイヤレスデバイス（ＵＥ）は、２Ｇ／３Ｇ又はＬＴＥのいずれかに滞在し得る。
【００４９】
所与のＰＤＮ接続についての遅延寛容接続標識の動的な管理
従来技術の方法によれば、遅延寛容は、ＰＤＮ接続ごとにＰＤＮ接続が確立される際にのみ設定され、ＰＤＮ接続がアクティブである際にそれを変更することができない。
【００５０】
一方、ここで提示される例示的な実施形態によれば、ＰＤＮ接続時に遅延寛容接続としてＰＤＮ接続がラベリングされ得るが、後の段階において非遅延寛容であるように変更されてもよく、逆もまたしかりである。
【００５１】
例：
１．ワイヤレスデバイスがＰＤＮ接続をアクティブ化すると、ＰＣＲＦは、その時点で利用可能なサブスクリプション、例えばアクセスポイント名に従って、そのＰＤＮ接続を遅延寛容接続として設定してよい。しかしながら、ワイヤレスデバイスが、遅延寛容でないサービスを、例えば、遅延寛容でないあるサービスに加入するためのウェブポータルを介して、又は遅延寛容でないサービスを登録するためのアプリケーションサーバにコンタクトすることを介して、後にアクティブ化する場合；
２．ワイヤレスデバイスがＰＤＮ接続をアクティブ化すると、ＰＣＲＦは、そのＰＤＮ接続を非遅延寛容接続として設定してよく、一方で、ワイヤレスデバイスが自身の許可割り当て分を満了した場合、又は、例えばエンドユーザによりウェブポータルを介して修正される（エンドユーザが眠ろうとする場合）など、ワイヤレスデバイスのサブスクリプションが変更された場合。
【００５２】
要するに、遅延寛容であるか否かの設定は、ワイヤレスデバイスが電力節約モード又は拡張ＤＲＸをアクティブ化したかには依存せず、ＵＥが使用しているサービスに依存する。そのために、ＰＣＲＦは、遅延寛容接続標識の設定をＰＤＮ接続がアクティブのままである間に変更することができるべきである。
【００５３】
図３は、遅延寛容接続標識がＰＤＮ接続生成手続の期間中になされ、但し後にＰＤＮ接続がベアラ更新要求（Update  Bearer  Request）メッセージを用いて通常のＰＤＮへリセットされることを示している。更新されるＰＣＲＦ決定がベアラ生成／削除を要する場合には、ＰＧＷがベアラ生成／削除要求（Create/Delete  Bearer  Request）を用いることが可能である。赤色で強調されたテキストは、本発明に起因する変更を表す。例示的な実施形態のいくつかによれば、そうした変更は、ワイヤレスデバイスが経験するアプリケーション又はサービスの変更に基づいてよい。
【００５４】
［例示的なノード構成］
図４は、ノードの例示的なノード構成を示している。ここで議論されるいかなるノードも、図４に示した構成を有してよい。そうしたノードの例は、ＳＧＷ１１７、コアネットワークノード（例えば、ＳＧＳＮ１１１、Ｓ４−ＳＧＳＮ１１０、ＭＭＥ１１５又はＰＧＷ１１９）、及びＰＣＲＦ１２０である。ここで説明される例示的な実施形態に従って、通信ネットワークにおいてノードがＰＤＮ接続管理を提供してよい。上記ノードは、通信データ、命令、遅延寛容性情報、ワイヤレスデバイスアプリケーション若しくはサービス用途情報、及び／又はメッセージを受信するように構成され得る受信機４０１、を備え得る。上記ノードは、通信データ、命令、遅延寛容性情報、ワイヤレスデバイスアプリケーション若しくはサービス用途情報、及び／又はメッセージを送信するように構成され得る送信機４０２、をも備え得る。理解されるべきこととして、受信機４０１及び送信機４０２は、いかなる数の送受信、受信及び／又は送信ユニット、モジュール若しくは回路として具備されてもよい。さらに理解されるべきこととして、受信機４０１及び送信機４０２は、当分野において知られているいかなる入力又は出力通信ポートの形式であってもよい。受信機４０１及び送信機４０２は、ＲＦ回路及びベースバンド処理回路（図示せず）を含んでもよい。
【００５５】
上記ノードは、ここで説明されるようにＰＤＮ接続の管理に関連する情報を処理するように構成され得る処理ユニット又は回路４０３をも備え得る。処理回路４０３は、例えば、マイクロプロセッサ、ＤＳＰ（digital  signal  processor）、ＦＰＧＡ（field  programmable  gate  array）若しくはＡＳＩＣ（application  specific  integrated  circuit）又は任意の他の形式の回路若しくはモジュールといった、いかなる適したタイプの計算ユニットであってもよい。上記ノードは、任意の適したタイプのコンピュータ読取可能なメモリであり並びに揮発タイプ及び／又は不揮発タイプであり得る、メモリユニット又は回路４０５をさらに備え得る。メモリ４０５は、受信され、送信され及び／若しくは測定される、データ、デバイスパラメータ、通信プライオリティ、遅延寛容性情報、ワイヤレスデバイスアプリケーション若しくはサービス用途情報、並びに／又は実行可能なプログラム命令を記憶する、ように構成され得る。
【００５６】
［例示的なノードの動作］
図５Ａは、ここで説明したようにワイヤレスデバイスについてのＰＤＮ接続を管理するための、ＳＧＷにより採られ得る例示的な動作を描いたフロー図である。図５Ａが実線の境界で描かれたいくつかの動作と、破線の境界で描かれたいくつかの動作とを含むこともまた認識されるべきである。実線の境界内に含まれる動作は、最も広い例示的な実施形態に含まれる動作である。破線の境界内に含まれる動作は、より広いそれら例示的な実施形態の動作に含まれてもよく、それらの一部であってもよく、又はそれらに加えて取り入れられ得るさらなる動作である例示的な実施形態である。理解されるべきこととして、それら動作は、順序通りに実行されなくてもよい。そのうえ、理解されるべきこととして、それら動作の全てが実行される必要があるわけではない。例示的な動作は、いかなる順序で実行されてもよく、いかなる組み合わせで実行されてもよい。それら例示的な動作は、少なくとも例示的な実施形態の非限定的な概要においてさらに説明されている。
【００５７】
理解されるべきこととして、図５Ａで採用される付番は、「例示的な実施形態の概要」というセクションにおいて説明した参照番号に対応する。
【００５８】
図５Ｂは、図５Ａの動作のうちの少なくともいくつかを実行し得るモジュール群を描いたモジュール図である。
【００５９】
図６Ａは、ここで説明したようにワイヤレスデバイスについてのＰＤＮ接続を管理するための、コアネットワークノードにより採られ得る例示的な動作を描いたフロー図である。図６Ａが実線の境界で描かれたいくつかの動作と、破線の境界で描かれたいくつかの動作とを含むこともまた認識されるべきである。実線の境界内に含まれる動作は、最も広い例示的な実施形態に含まれる動作である。破線の境界内に含まれる動作は、より広いそれら例示的な実施形態の動作に含まれてもよく、それらの一部であってもよく、又はそれらに加えて取り入れられ得るさらなる動作である例示的な実施形態である。理解されるべきこととして、それら動作は、順序通りに実行されなくてもよい。そのうえ、理解されるべきこととして、それら動作の全てが実行される必要があるわけではない。例示的な動作は、いかなる順序で実行されてもよく、いかなる組み合わせで実行されてもよい。それら例示的な動作は、少なくとも例示的な実施形態の非限定的な概要においてさらに説明されている。
【００６０】
理解されるべきこととして、図６Ａで採用される付番は、「例示的な実施形態の概要」というセクションにおいて説明した参照番号に対応する。
【００６１】
図６Ｂは、図６Ａの動作のうちの少なくともいくつかを実行し得るモジュール群を描いたモジュール図である。
【００６２】
図７Ａは、ここで説明したようにワイヤレスデバイスについてのＰＤＮ接続を管理するための、ＰＣＲＦにより採られ得る例示的な動作を描いたフロー図である。図７Ａが実線の境界で描かれたいくつかの動作と、破線の境界で描かれたいくつかの動作とを含むこともまた認識されるべきである。実線の境界内に含まれる動作は、最も広い例示的な実施形態に含まれる動作である。破線の境界内に含まれる動作は、より広いそれら例示的な実施形態の動作に含まれてもよく、それらの一部であってもよく、又はそれらに加えて取り入れられ得るさらなる動作である例示的な実施形態である。理解されるべきこととして、それら動作は、順序通りに実行されなくてもよい。そのうえ、理解されるべきこととして、それら動作の全てが実行される必要があるわけではない。例示的な動作は、いかなる順序で実行されてもよく、いかなる組み合わせで実行されてもよい。それら例示的な動作は、少なくとも例示的な実施形態の非限定的な概要においてさらに説明されている。
【００６３】
理解されるべきこととして、図７Ａで採用される付番は、「例示的な実施形態の概要」というセクションにおいて説明した参照番号に対応する。
【００６４】
図７Ｂは、図７Ａの動作のうちの少なくともいくつかを実行し得るモジュール群を描いたモジュール図である。
【００６５】
上述したいくつかの実施形態は、以下のような形に要約されてもよい：
【００６６】
ある実施形態は、ワイヤレスデバイスについてのＰＤＮ接続を管理するための、ＳＧＷにおける方法を対象とする。上記方法は、少なくとも１つのＧＴＰエンティティから、上記ワイヤレスデバイス向けの識別されるＰＤＮ接続上の通信が遅延可能であるかを指し示すＤＴＣＩを受信することと、上記ＳＧＷ内に上記ＤＴＣＩを記憶することと、上記ワイヤレスデバイスへサービスするモビリティ管理ノードの（リスタートを伴うか又は伴わない）障害の検出後に、上記ＰＤＮ接続を管理すること、を含み、上記管理することは、上記ＰＤＮ接続が遅延寛容であることを上記ＤＴＣＩが指し示す場合に、上記ＰＤＮ接続を削除すること、又は、上記ＰＤＮ接続が遅延寛容でないことを上記ＤＴＣＩが指し示す場合に、上記ＰＤＮ接続を維持すること、を含む。
【００６７】
理解されるべきこととして、ＤＴＣＩを設定しないことが、ＰＤＮ接続が維持されるべきかを判定するための他の特徴及び他の事業者ポリシーと一緒に使用されてもよい。そうした特徴及び事業者ポリシーの例は、ＱＣＩ／ＡＲＰ／ＡＰＮ及びそうしたパラメータである。ＳＧＷは、任意の数のパラメータを含み得るＤＴＣＩに基づいて、ＰＤＮ接続を保持するべきかを判定してよい。
【００６８】
上記例示的な実施形態によれば、ＳＧＷは、ＤＴＣＩを保存し、保存したＤＴＣＩ値に基づいてＰＤＮ接続を管理することになる。従来技術の方法とは対照的に、ＳＧＷは、モビリティ管理ノードへそうした値を盲目的に転送する。従来技術の方法では、ＳＧＷはＤＴＣＩを利用しない。
【００６９】
ＤＴＣＩの利用において、ＳＧＷは、モビリティ管理ノードの（リスタートを伴うか又は伴わない）障害の検出後に、ＰＤＮ接続が遅延寛容でないことをＤＴＣＩ値が指し示す場合に、ＰＤＮ接続を保持してよい。ＰＤＮ接続が遅延寛容である場合には、当該ＰＤＮ接続は削除されることになり、即ち、そのＰＤＮ接続はネットワークトリガ型サービス復旧手続にとって適格でない。これは、例えば拡張ＤＲＸが有効化され又は電力節約状態に入るなど、ワイヤレスデバイスが電力節約の仕組みをアクティブ化し得ることから、不必要なページングシグナリングを回避するためである。
【００７０】
上記ＤＴＣＩは、フラグ、原因コード、又は当分野において知られた任意の他の形式の標識で提供されてよい。
【００７１】
上記方法において、上記少なくとも１つのＧＴＰエンティティはＰＧＷであってもよく、上記受信することは、上記ＰＧＷからＰＤＮ接続生成手続の期間中に上記ＤＴＣＩを受信すること、をさらに含んでもよい。
【００７２】
上記例示的な実施形態によれば、上記ＤＴＣＩは、例えばセッション生成応答（Create  Session  Response）メッセージ内でＰＤＮ接続生成手続の期間中に提供されてもよい。
【００７３】
上記方法において、上記受信することは、ＳＧＷ再配置を伴うモビリティ手続の期間中に行われ、上記ＳＧＷは、新たなＳＧＷであってもよく、上記少なくとも１つのＧＴＰエンティティは、上記モビリティ手続の完了後に上記ワイヤレスデバイスへサービスすることになる新たなモビリティ管理ノードであってもよく、上記受信することは、上記新たなモビリティ管理ノードからモビリティ手続の期間中に上記ＤＴＣＩを受信すること、をさらに含む。
【００７４】
上記例示的な実施形態によれば、上記ＤＴＣＩは、例えばコンテキスト応答（Context  Response）メッセージにおいて提供されてもよい。理解されるべきこととして、上記新たなモビリティ管理ノードは、古いモビリティ管理ノードからのコンテキスト応答（Context  Response）メッセージにおいて上記ＤＴＣＩを受信する。
【００７５】
上記方法において、上記受信することは、ＳＧＷ再配置を伴うモビリティ手続の期間中に行われ、上記ＳＧＷは、新たなＳＧＷであってもよく、上記少なくとも１つのＧＴＰエンティティは、ＰＧＷであってもよく、上記受信することは、上記ＰＧＷからモビリティ手続の期間中に（例えばその時点の）ＤＴＣＩを受信すること、をさらに含む。
【００７６】
上記例示的な実施形態によれば、上記ＤＴＣＩは、例えばＰＧＷからのベアラ修正応答（Modify  Bearer  Response）メッセージにおいて提供されてもよい。
【００７７】
上記方法は、上記少なくとも１つのＧＴＰエンティティから動的に更新されたＤＴＣＩを受信すること、をさらに含んでもよい。
【００７８】
理解されるべきこととして、動的に更新されたＤＴＣＩは、ベアラ更新／生成／削除要求（Update/Create/Delete  bearer  request）又はベアラ修正応答（Modify  Bearer  Response）メッセージにおいて提供されてもよい。例示的な実施形態のいくつかによれば、ＤＴＣＩのそうした動的な更新は、ワイヤレスデバイスにより採用されるサービス又はアプリケーションの用途の変更に基づいてもよい。理解されるべきこととして、そうした動的に更新されるＤＴＣＩは、ＰＣＲＦから発せられ、ＰＧＷを介してＳＧＷへ提供されてもよい。
【００７９】
上記方法において、上記モビリティ管理ノードは、ＭＭＥ、ＳＧＳＮ又はＳ４−ＳＧＳＮであってもよい。
【００８０】
上述したいくつかの他の実施形態は、以下のような形に要約されてもよい：
【００８１】
１つの他の実施形態は、ワイヤレスデバイスについてのＰＤＮ接続を管理するためのＳＧＷを対象とする。上記ＳＧＷは、プロセッサ及びメモリを備え、上記メモリは、上記プロセッサにより実行可能な命令を含み、それにより、それにより上記ＳＧＷは、少なくとも１つのＧＴＰエンティティから、上記ワイヤレスデバイス向けの識別されるＰＤＮ接続上の通信が遅延可能であるかを指し示すＤＴＣＩを受信し、上記ＳＧＷ内に上記ＤＴＣＩを記憶し、上記ワイヤレスデバイスへサービスするモビリティ管理ノードの（リスタートを伴うか又は伴わない）障害の検出後に、上記ＰＤＮ接続を管理する、ように動作可能であり、上記管理は、上記ＰＤＮ接続が遅延寛容であることを上記ＤＴＣＩが指し示す場合に、上記ＰＤＮ接続を削除すること、又は、上記ＰＤＮ接続が遅延寛容でないことを上記ＤＴＣＩが指し示す場合に、上記ＰＤＮ接続を維持すること、を含む。
【００８２】
理解されるべきこととして、ＤＴＣＩを設定しないことが、ＰＤＮ接続が維持されるべきかを判定するための他の特徴及び他の事業者ポリシーと一緒に使用されてもよい。そうした特徴及び事業者ポリシーの例は、ＱＣＩ／ＡＲＰ／ＡＰＮ及びそうしたパラメータである。ＳＧＷは、任意の数のパラメータを含み得るＤＴＣＩに基づいて、ＰＤＮ接続を保持するべきかを判定してよい。
【００８３】
上記例示的な実施形態によれば、ＳＧＷは、ＤＴＣＩを保存し、保存したＤＴＣＩ値に基づいてＰＤＮ接続を管理することになる。従来技術の方法とは対照的に、ＳＧＷは、モビリティ管理ノードへそうした値を盲目的に転送する。従来技術の方法では、ＳＧＷはＤＴＣＩを利用しない。
【００８４】
ＤＴＣＩの利用において、ＳＧＷは、モビリティ管理ノードの（リスタートを伴うか又は伴わない）障害の検出後に、接続が遅延寛容でないことをＤＴＣＩ値が指し示す場合に、ＰＤＮ接続を保持してよい。ＰＤＮ接続が遅延寛容である場合には、当該ＰＤＮ接続は削除されることになり、即ち、そのＰＤＮ接続はネットワークトリガ型サービス復旧手続にとって適格でない。これは、例えば拡張ＤＲＸが有効化され又は電力節約状態に入るなど、ワイヤレスデバイスが電力節約の仕組みをアクティブ化し得ることから、不必要なページングシグナリングを回避するためである。
【００８５】
上記ＤＴＣＩは、フラグ、原因コード、又は当分野において知られた任意の他の形式の標識で提供されてよい。
【００８６】
この例示的な実施形態の上記ＳＧＷに関して、上記少なくとも１つのＧＴＰエンティティは、ＰＧＷであってもよく、上記ＳＧＷは、上記ＰＧＷからＰＤＮ接続生成手続の期間中に上記ＤＴＣＩを受信する、ようにさらに動作可能であってもよい。
【００８７】
上記例示的な実施形態によれば、上記ＤＴＣＩは、例えばセッション生成応答（Create  Session  Response）メッセージ内でＰＤＮ接続生成手続の期間中に提供されてもよい。
【００８８】
この例示的な実施形態の上記ＳＧＷに関して、上記ＳＧＷは、ＳＧＷ再配置を伴うモビリティ手続の期間中に上記ＤＴＣＩを受信する、ようにさらに動作可能であってもよく、上記ＳＧＷは、新たなＳＧＷであってもよく、上記少なくとも１つのＧＴＰエンティティは、上記モビリティ手続の完了後に上記ワイヤレスデバイスへサービスすることになる新たなモビリティ管理ノードであってもよく、上記ＳＧＷは、上記新たなモビリティ管理ノードからモビリティ手続の期間中に上記ＤＴＣＩを受信する、ようにさらに動作可能であってもよい。
【００８９】
上記例示的な実施形態によれば、上記ＤＴＣＩは、例えばコンテキスト応答（Context  Response）メッセージにおいて提供されてもよい。理解されるべきこととして、上記新たなモビリティ管理ノードは、古いモビリティ管理ノードからのコンテキスト応答（Context  Response）メッセージにおいて上記ＤＴＣＩを受信する。
【００９０】
この例示的な実施形態の上記ＳＧＷに関して、上記ＳＧＷは、ＳＧＷ再配置を伴うモビリティ手続の期間中に上記ＤＴＣＩを受信する、ように動作可能であってもよく、上記ＳＧＷは、新たなＳＧＷであってもよく、上記少なくとも１つのＧＴＰエンティティは、ＰＧＷであってもよく、上記ＳＧＷは、上記ＰＧＷからモビリティ手続の期間中に（例えばその時点の）ＤＴＣＩを受信する、ようにさらに動作可能であってもよい。
【００９１】
上記例示的な実施形態によれば、上記ＤＴＣＩは、例えばＰＧＷからのベアラ修正応答（Modify  Bearer  Response）メッセージにおいて提供されてもよい。
【００９２】
この例示的な実施形態の上記ＳＧＷに関して、上記ＳＧＷは、上記少なくとも１つのＧＴＰエンティティから動的に更新されたＤＴＣＩを受信する、ようにさらに動作可能であってもよい。
【００９３】
理解されるべきこととして、動的に更新されたＤＴＣＩは、ベアラ更新／生成／削除要求（Update/Create/Delete  bearer  request）又はベアラ修正応答（Modify  Bearer  Response）メッセージにおいて提供されてもよい。例示的な実施形態のいくつかによれば、ＤＴＣＩのそうした動的な更新は、ワイヤレスデバイスにより採用されるサービス又はアプリケーションの用途の変更に基づいてもよい。理解されるべきこととして、そうした動的に更新されるＤＴＣＩは、ＰＣＲＦから発せられ、ＰＧＷを介してＳＧＷへ提供されてもよい。
【００９４】
この例示的な実施形態の上記ＳＧＷに関して、上記モビリティ管理ノードは、モビリティ管理エンティティ、サービングＧＰＲＳ（General  packet  radio  service）サポートノード（ＳＧＳＮ）、又はＳ４−ＳＧＳＮであってもよい。
【００９５】
上述したいくつかの他の実施形態は、以下のような形に要約されてもよい：
【００９６】
１つの他の実施形態は、ワイヤレスデバイス（１０１）についてのＰＤＮ接続を動的に管理するための、コアネットワークノードにおける方法を対象とし、上記コアネットワークノードは、上記ワイヤレスデバイスについての識別されるＰＤＮ接続上の通信が遅延可能であるかを指し示す、記憶済みのＤＴＣＩを含み、上記コアネットワークノードは、ネットワークトリガ型サービス復旧手続のために構成される。上記方法は、ＰＣＲＦ又は他のコアネットワークノードから、上記ワイヤレスデバイスについての識別される上記ＰＤＮ接続が遅延寛容であるかに関する変化したステータスを指し示す更新されたＤＴＣＩを受信することと、更新された上記ＤＴＣＩを上記コアネットワークノード内に記憶することと、を含む。
【００９７】
上記実施形態によれば、ＰＤＮ接続の属性としての上記ＤＴＣＩは、動的なやり方で提供される。よって、更新されたＤＴＣＩが、ＰＤＮ接続がアクティブである際に提供される（即ち、初期アタッチ、又はＰＤＮ接続生成手続若しくはモビリティ手続の期間中だけではない）。
【００９８】
上記例示的な実施形態によれば、上記ＤＴＣＩに対する上記更新は、上記ワイヤレスデバイスについての識別される上記ＰＤＮ接続により利用されているアプリケーション又はサービスに基づく。例えば、加入された又は承認されたサービスに従って遅延寛容であると過去に識別されたＰＤＮ接続は、後に遅延が受け入れ可能でないサービスのために使用される。よって、そのＰＤＮ接続が遅延寛容でないことを指し示す更新されたＤＴＣＩが送信される。
【００９９】
上記ＤＴＣＩは、フラグ、原因コード、又は当分野において知られた任意の他の形式の標識で提供されてよい。
【０１００】
上記方法において、更新された上記ＤＴＣＩは、上記ＰＣＲＦから受信されてもよく、上記コアネットワークノードは、ＰＧＷであってもよく、上記方法は、更新された上記ＤＴＣＩをＳＧＷへ転送すること、をさらに含んでもよい。
【０１０１】
上記例示的な実施形態によれば、更新された上記ＤＴＣＩは、上記ＰＣＲＦから上記ＰＧＷへ再承認要求（Re-Authorization  Request）メッセージにおいて提供されてもよい。
【０１０２】
上記方法において、更新された上記ＤＴＣＩは、ＰＧＷから受信されてもよく、上記コアネットワークノードは、ＳＧＷであってもよく、上記方法は、更新された上記ＤＴＣＩをモビリティ管理ノードへ転送すること、をさらに含んでもよい。
【０１０３】
上記方法は、上記ＰＤＮ接続を管理すること、をさらに含んでもよく、上記管理することは、上記ＰＤＮ接続が遅延寛容であることを上記ＤＴＣＩが指し示す場合に、上記ＰＤＮ接続を削除すること、又は、上記ＰＤＮ接続が遅延寛容でないことを上記ＤＴＣＩが指し示す場合に、上記ＰＤＮ接続を維持すること、を含む。
【０１０４】
上記例示的な実施形態によれば、更新された上記ＤＴＣＩは、上記ＰＧＷから上記ＳＧＷへベアラ更新／生成／削除要求（Update/Create/Delete  Bearer  Request）メッセージにおいて提供されてもよい。
【０１０５】
上記方法において、更新された上記ＤＴＣＩは、ＳＧＷから受信されてもよく、上記コアネットワークノードは、モビリティ管理ノードであってもよい。
【０１０６】
上記方法において、上記モビリティ管理ノードは、モビリティ管理エンティティ、サービングＧＰＲＳ（General  packet  radio  service）サポートノード（ＳＧＳＮ）、又はＳ４−ＳＧＳＮであってもよい。
【０１０７】
上述したいくつかの他の実施形態は、以下のような形に要約されてもよい：
【０１０８】
１つの他の実施形態は、ワイヤレスデバイスについてのＰＤＮ接続を動的に管理するためのコアネットワークノードを対象とする。上記コアネットワークノードは、上記ワイヤレスデバイスについての識別されるＰＤＮ接続上の通信が遅延可能であるかを指し示す、記憶済みのＤＴＣＩを含む。上記コアネットワークノードは、プロセッサ及びメモリを備え、上記メモリは、上記プロセッサにより実行可能な命令を含み、それにより上記コアネットワークノードは、ＰＣＲＦ又は他のコアネットワークノードから、上記ワイヤレスデバイスについての識別される上記ＰＤＮ接続が遅延寛容であるかに関する変化したステータスを指し示す更新されたＤＴＣＩを受信し、更新された上記ＤＴＣＩを上記コアネットワークノード内に記憶する、ように動作可能である。
【０１０９】
上記実施形態によれば、ＰＤＮ接続の属性としての上記ＤＴＣＩは、動的なやり方で提供される。よって、更新されたＤＴＣＩが、ＰＤＮ接続がアクティブである際に提供される（即ち、初期アタッチ、又はＰＤＮ接続生成手続若しくはモビリティ手続の期間中だけではない）。
【０１１０】
上記例示的な実施形態によれば、上記ＤＴＣＩに対する上記更新は、上記ワイヤレスデバイスについての識別される上記ＰＤＮ接続により利用されているアプリケーション又はサービスに基づく。例えば、加入された又は承認されたサービスに従って遅延寛容であると過去に識別されたＰＤＮ接続は、後に遅延が受け入れ可能でないサービスのために使用される。よって、そのＰＤＮ接続が遅延寛容でないことを指し示す更新されたＤＴＣＩが送信される。
【０１１１】
上記ＤＴＣＩは、フラグ、原因コード、又は当分野において知られた任意の他の形式の標識で提供されてよい。
【０１１２】
この例示的な実施形態の上記コアネットワークノードに関して、更新された上記ＤＴＣＩは、上記ＰＣＲＦから受信されてもよく、上記コアネットワークノードは、ＰＧＷであってもよく、上記コアネットワークノードは、更新された上記ＤＴＣＩをＳＧＷへ転送する、ようにさらに動作可能であってもよい。
【０１１３】
上記例示的な実施形態によれば、更新された上記ＤＴＣＩは、上記ＰＣＲＦから上記ＰＧＷへ再承認要求（Re-Authorization  Request）メッセージにおいて提供されてもよい。
【０１１４】
この例示的な実施形態の上記コアネットワークノードに関して、更新された上記ＤＴＣＩは、ＰＧＷから受信されてもよく、上記コアネットワークノードは、ＳＧＷであってもよく、上記コアネットワークノードは、更新された上記ＤＴＣＩをモビリティ管理ノードへ転送する、ようにさらに動作可能であってもよい。
【０１１５】
この例示的な実施形態の上記コアネットワークノードに関して、上記ＰＤＮ接続の上記管理は、上記コアネットワークノードが、上記ＰＤＮ接続が遅延寛容であることを上記ＤＴＣＩが指し示す場合に、上記ＰＤＮ接続を削除し、又は、上記ＰＤＮ接続が遅延寛容でないことを上記ＤＴＣＩが指し示す場合に、上記ＰＤＮ接続を維持する、ように動作可能であること、をさらに含んでもよい。
【０１１６】
上記例示的な実施形態によれば、更新された上記ＤＴＣＩは、上記ＰＧＷから上記ＳＧＷへベアラ更新／生成／削除要求（Update/Create/Delete  Bearer  Request）メッセージにおいて提供されてもよい。
【０１１７】
この例示的な実施形態の上記コアネットワークノードに関して、更新された上記ＤＴＣＩは、ＳＧＷから受信されてもよく、上記コアネットワークノードは、モビリティ管理ノードであってもよい。
【０１１８】
この例示的な実施形態の上記コアネットワークノードに関して、上記モビリティ管理ノードは、モビリティ管理エンティティ（１１５）、サービングＧＰＲＳ（General  packet  radio  service）サポートノード（ＳＧＳＮ）（１１１）、又はＳ４−ＳＧＳＮ（１１０）であってもよい。
【０１１９】
上述したいくつかの他の実施形態は、以下のような形に要約されてもよい：
【０１２０】
１つの他の実施形態は、ワイヤレスデバイスについてのＰＤＮ接続を動的に管理するための、ＰＣＲＦにおける方法を対象とする。上記方法は、上記ＰＤＮ接続の遅延寛容性におけるステータス変化を検出することと、上記ステータス変化は、上記ワイヤレスデバイスについての識別される上記ＰＤＮ接続が遅延した通信を受信可能であるかに関する変化を提示することと、検出される上記ステータス変化に基づいて、ＤＴＣＩを更新することと、更新された上記ＤＴＣＩをＰＧＷへ送信することと、を含み得る。
【０１２１】
上述したいくつかの他の実施形態は、以下のような形に要約されてもよい：
【０１２２】
１つの他の実施形態は、ワイヤレスデバイスについてのＰＤＮ接続を動的に管理するためのＰＣＲＦを対象とする。上記ＰＣＲＦは、プロセッサ及びメモリを備えてもよく、上記メモリは、上記プロセッサにより実行可能な命令を含み、それにより上記ＰＣＲＦは、上記ＰＤＮ接続の遅延寛容性におけるステータス変化であって、上記ワイヤレスデバイスについての識別される上記ＰＤＮ接続が遅延した通信を受信可能であるかに関する変化を提示する当該ステータス変化を検出し、検出される上記ステータス変化に基づいて、ＤＴＣＩを更新し、更新された上記ＤＴＣＩをＰＧＷへ送信する、ように動作可能である。
【０１２３】
留意すべきこととして、上記例示的な実施形態を説明するためにここで３ＧＰＰ  ＬＴＥからの専門用語が使用されているものの、これは例示的な実施形態のスコープを前述したシステムのみに限定するものとして見られるべきではない。ＷＣＤＭＡ、ＷｉＭＡＸ、ＵＭＢ、ＷｉＦｉ及びＧＳＭを含む他のワイヤレスシステムもまた、ここで開示した例示的な実施形態から恩恵を受け得る。
【０１２４】
ここで提供した例示的な実施形態の説明は、説明の目的のために提示されている。その説明は、網羅的であること、又は例示的な実施形態を開示した正確な形式に限定することを意図しておらず、上の教示を踏まえて修正及び変形が可能であり、又は提供した実施形態に対する多様な代替策の実践から修正及び変形が獲得され得る。ここで議論した例は、多様な例示的な実施形態の原理及び性質、並びに当業者が多様なやり方で例示的な実施形態を利用することを可能にする実践的な応用を説明する目的で選定され説明されており、それは想起される具体的な用途に適したような多様な修正を伴う。ここで説明した実施形態の特徴は、方法、装置、モジュール、システム及びコンピュータプログラムプロダクトのあらゆる可能な組み合わせで組み合わせられてよい。理解されるべきこととして、ここで提示した例示的な実施形態は、互いにいかなる組み合わせで実践されてもよい。
【０１２５】
留意すべきこととして、“含む／備える（comprising）”との語は、列挙されたもの以外の他のエレメント又はステップの存在を必ずしも排除せず、エレメントに先行する“a”又は“an”との語は、複数のそうしたエレメントの存在を排除しない。さらに留意すべきこととして、いかなる参照記号も特許請求の範囲のスコープを限定せず、例示的な実施形態はハードウェア及びソフトウェアの双方の手段で少なくとも部分的に実装されてよく、複数の“手段”、“ユニット”又は“デバイス”が同じハードウェアの品目によって表現されてもよい。
【０１２６】
注記したように、ユーザ機器といった専門用語は非限定的であると見なされるべきである。デバイス又はユーザ機器は、当該用語がここで使用される場合、インターネット／イントラネットへのアクセス、ウェブブラウザ、オーガナイザ、カレンダー、カメラ（例えば、ビデオ及び／若しくはスチルイメージカメラ）、音声レコーダ（例えばマイクロフォン）、並びに／又はＧＰＳ（global  positioning  system）受信機についての能力を有する無線電話と、セルラー無線電話をデータ処理に組み合わせ得るＰＣＳ（personal  communications  system）ユーザ機器と、無線電話又はワイヤレス通信システムを含むことのできるＰＤＡ（personal  digital  assistance）と、ラップトップと、通信能力を有するカメラ（例えば、ビデオ及び／又はスチルイメージカメラ）と、パーソナルコンピュータ、ホームエンターテインメントシステム、テレビジョンなどといった、送受信を行うことが可能な任意の他の計算又は通信デバイスとを含むように、広義に解釈されるべきである。理解されるべきこととして、ユーザ機器との用語は、いかなる数の接続されたデバイスをも含んでよい。さらに、理解されるべきこととして、“ユーザ機器”との用語は、インターネット又はネットワークへのアクセスを有し得る任意のデバイスを定義するものと解釈されるものとする。そのうえ、理解されるべきこととして、Ｍ２Ｍデバイスとの用語は、低頻度での通信に従事するユーザ機器のサブクラスであるものと解釈されるものとする。
【０１２７】
ここで説明した多様な例示的な実施形態は、方法ステップ又はプロセッサの一般的な文脈で説明されており、それは１つの観点ではコンピュータ読取可能な媒体で具現化されるコンピュータプログラムプロダクトにより実装されてよく、コンピュータ読取可能な媒体は、ネットワーク化された環境内のコンピュータにより実行されるプログラムコードなどのコンピュータ実行可能な命令を含む。コンピュータ読取可能な媒体は、限定ではないものの、ＲＯＭ（Read  Only  Memory）、ＲＡＭ（Random  Access  Memory）、ＣＤ（compact  discs）、ＤＶＤ（digital  versatile  discs）などを含む、着脱式の及び非着脱式の記憶デバイスを含んでよい。概して、プログラムモジュールは、具体的なタスクを実行し又は具体的で抽象的なデータタイプを実装する、ルーチン、プログラム、オブジェクト、コンポーネント、データ構造などを含んでよい。コンピュータ実行可能な命令、関連付けられるデータ構造及びプログラムモジュールは、ここで開示した方法のステップを実行するためのプログラムコードの例を表す。そうした実行可能な命令又は関連付けられるデータ構造の具体的なシーケンスは、そうしたステップ又はプロセスにおいて説明した機能を実装するための対応する動作の例を表す。
【０１２８】
図面及び明細書において、例示的な実施形態が開示されてきた。しかしながら、それら実施形態に対し多くの変形及び修正をなすことができる。従って、固有の用語が採用されてはいるものの、それらはただ汎用的かつ説明的な意味で使用されており、限定を目的とはせず、実施形態のスコープは添付の特許請求の範囲によって定義される。
【図１】
0006603400.tif 000002
【図２】
0006603400.tif 000003
【図３】
0006603400.tif 000004
【図４】
0006603400.tif 000005
【図５Ａ】
0006603400.tif 000006
【図５Ｂ】
0006603400.tif 000007
【図６Ａ】
0006603400.tif 000008
【図６Ｂ】
0006603400.tif 000009
【図７Ａ】
0006603400.tif 000010
【図７Ｂ】
0006603400.tif 000011